(57)【特許請求の範囲】
【請求項１】
建築物の構造躯体に配設されると共に、外壁板を伝って流下する雨水を前方に排出する土台水切りであって、
該土台水切りは、建築物の構造躯体に固定される背板部と、該背板部の下方において前方斜め下方へ屈曲した水切り板部と、該水切り板部の前端から下方へ屈曲した前板部と、該前板部の下端の一部から後方へ延びた防鼠部とからなり、
該防鼠部は、該前板部の後方へ延びた防鼠板部を有し、
該防鼠板部は、複数の通気孔を有しており、
該前板部の側面側の下端には、該前板部の側面から該前板部の下端に向かって形成された、後方が該防鼠部と連続していない切り欠きを有する
ことを特徴とする土台水切り。
【請求項２】
前記防鼠部は、連結部と前記防鼠板部とからなり、
該連結部は、前記前板部の下端から後方へ屈曲しており、
該防鼠板部は、該連結部の後端から後方へ延びており、
該連結部は、該前板部と該防鼠板部を該前板部の板厚以上の間隔を設けて連結している
ことを特徴とする請求項１に記載の土台水切り。
【請求項３】
前記防鼠板部は、前記前板部の下端から後方へ屈曲している
ことを特徴とする請求項１に記載の土台水切り。
【請求項４】
前記切り欠きの後方には、前記防鼠板部を有さない
ことを特徴とする請求項１に記載の土台水切り。
【請求項５】
前記切り欠きの後方には、前記連結部を有さない
ことを特徴とする請求項２に記載の土台水切り。
【請求項６】
請求項１〜５のいずれかに記載の土台水切りを複数連結させた状態で、建築物の土台部に配設している土台部施工構造であって、
前記土台水切りは、前記切り欠きが隣接する別の土台水切りの前記前板部の後方に位置し、前記防鼠部の側端が隣接する別の土台水切りの前記防鼠部の側端と当接し、かつ、互いの前記背板部の裏面が建築物の構造躯体に当接した状態で建築物の土台部に固定されている
ことを特徴とする土台部施工構造。
【発明の詳細な説明】
【技術分野】
【０００１】
本発明は、建築物の土台部に配設されると共に、外壁板の表面側を伝って流下する雨水を前方に排出する土台水切り及びそれを用いた土台部施工構造に関するものである。
【背景技術】
【０００２】
従来、水切りは、金属板を切断、折り曲げて製造された、水平方向に長い形状であり、建築物の外壁の表面を流下した雨水が建築物内部に侵入するのを防ぐために、建築物の土台部に配設されている。
また、建築物の土台部においては、鼠の侵入を防止するために、防鼠機能を備えた土台水切りが用いられている。
【０００３】
例えば、非特許文献１には、薄肉材で一体連続状に形成された取付壁部と、傾斜突出壁部と、底壁部とを有し、該底壁部には、ネズミなどが侵入できない大きさで、かつ、充分な通気量が得られる数の通気孔が形成され、更に、取付状態で、該底壁部の端縁が布基礎に当接するようになる建物外壁の水切り材が開示されている。
【０００４】
また、特許文献１には、取付壁部と、該取付壁部の下端から前方に延出した傾斜突出壁部と、該傾斜突出壁部の前縁から垂下する突出端壁部と、該突出端壁部の下端から後方に向って延設された底壁部と、該底壁部の後縁側から後方に向って延設された、後方ほど高位となる傾斜部と、該傾斜部の後縁から前方に延設された水返し部を有する水切り材、及び該水切りを建築物の土台部に取り付けることが開示されている。
【０００５】
非特許文献１、特許文献１の水切り材は、建築物の土台部に施工する際に、土台水切り同士の間に隙間が生じないよう、土台水切りの一部を隣接する別の土台水切りと重ね合わせた状態で固定する必要がある。
しかし、互いの土台水切りを重ね合わせる際に、底壁部の一部を切断しなければならず、手間がかかる。また、２つの土台水切り間において、底壁部以外の部分が重ね合わさった状態で、互いの底壁部が隙間なく当接するよう加工することは困難である。
【先行技術文献】
【特許文献】
【０００６】
【特許文献１】特開２００８−１７４９９５号公報
【非特許文献】
【０００７】
【非特許文献１】登録実用新案第３０３１１２３号公報
【発明の概要】
【発明が解決しようとする課題】
【０００８】
本発明は、切断を行うことなく、互いに連結させることが可能な、防鼠機能を備えた土台水切り及びそれを用いた土台部施工構造を提供するものである。
【課題を解決するための手段】
【０００９】
本発明は、建築物の構造躯体に配設されると共に、外壁板を伝って流下する雨水を前方に排出する土台水切りとそれを用いた土台部施工構造を提供する。
本発明の土台水切りは、建築物の構造躯体に固定される背板部と、該背板部の下方において前方斜め下方へ屈曲した水切り板部と、該水切り板部の前端から下方へ屈曲した前板部と、該前板部の一部から後方へ延びた防鼠部とからなり、該防鼠部は、該前板部の後方へ延びた防鼠板部を有する。防鼠板部は、複数の通気孔を有しており、該前板部の側面側の下端には、該前板部の側面から該前板部の下端に向かって形成された、後方が該防鼠部と連続していない切り欠きを有するので、切断等の加工を行わなくても、別の土台水切りと連結させることが可能である。なお、本願においては、土台水切りを正面から見て、上を上方、下を下方、手前側を前方、後ろ側を後方としている。また、切り欠きの形状としては、側面から防鼠部と連続していない下端に向かって延びた形状であれば良く、直線状、曲線状、多角状等とすることができる。
また、本発明の土台水切りにおいて、防鼠部は、前板部の下端よりも上方となるように設けてあると、流下してきた雨水を前方に確実に排出することができるので、好ましい。
更に、本発明の土台水切りにおいて、防鼠部は、連結部と防鼠板部とからなり、該連結部は、前板部の下端から後方へ屈曲しており、該防鼠板部は、該連結部の後端から後方へ延びており、該連結部は、該前板部と該防鼠板部を該前板部の板厚以上の間隔を設けて連結し、該防鼠板部は、複数の通気孔を有すると、該連結部と該前板部の間に、別の土台水切りの前板部を差し込むことができ、かつ、互いの土台水切りが確実に連結できるので好ましい。または、防鼠板部は、前板部の下端から後方へ屈曲するよう設けることもできる。
更に、本発明の土台水切りにおいて、連結部は、防鼠板部が前板部の下端よりも上方となるように設けてあると、流下してきた雨水を前方に確実に排出することができるので、好ましい。
更に、本発明の土台水切りは、切り欠きの後方に、防鼠板部を有さないと、別の土台水切りとの連結が行いやすいので好ましい。切り欠きの後方に、連結部を有さないよう設けることもできる。
また、本発明は、前述した本発明の土台水切りを複数連結させた状態で、建築物の土台部に配設している土台部施工構造も提供する。
本発明における土台部施工構造では、土台水切りは、切り欠きが隣接する別の土台水切りの前板部の後方に位置し、防鼠部の側端が隣接する別の土台水切りの防鼠部の側端と当接し、かつ、互いの背板部の裏面が建築物の構造躯体に当接した状態で建築物の土台部に固定されている。
【発明の効果】
【００１０】
本発明によれば、切断を行うことなく、互いに連結させることが可能な、防鼠機能を備えた土台水切り及びそれを用いた土台部施工構造を提供することができる。
【図面の簡単な説明】
【００１１】
【図１】図１は、本発明にかかる土台水切りの一実施例の斜視図である。
【図２】図２は、図１に示す土台水切りの底面図である。
【図３】図３は、図１、２に示す土台水切りを用いて形成された建築物の土台部の施工状態の斜視図である。
【図４】図４は、図３に示す建築物の土台部の施工状態を下から見た図である。
【図５】図５は、本発明にかかる水切りの他の実施例の斜視図である。
【図６】図６は、本発明にかかる水切りの更に他の実施例の斜視図である。
【図７】図７は、本発明にかかる水切りの更に他の実施例の斜視図である。
【図８】図８は、図７に示す土台水切りの底面図である。
【図９】図９は、図７、８に示す土台水切りを用いて形成された建築物の土台部の施工状態を下から見た図である。
【図１０】図１０は、本発明にかかる水切りの更に他の実施例の斜視図である。
【図１１】図１１は、図１０に示す土台水切りの底面図である。
【図１２】図１２は、図１０、１１に示す土台水切りを用いて形成された建築物の土台部の施工状態の斜視図である。
【図１３】図１３は、図１２に示す建築物の土台部の施工状態を下から見た図である。
【発明を実施するための形態】
【００１２】
以下、図面を参照しながら本発明について詳細に説明する。
【００１３】
図１、２は、本発明にかかる土台水切りの一実施例の斜視図及び底面図である。
図１、２に示す土台水切りＡ１は、１枚のガルバリウム鋼板（登録商標）を折曲加工して製造されており、建築物の構造躯体に固定する背板部ａ１と、背板部ａ１の下方において前方斜め下方へ屈曲した水切り板部ｂ１と、水切り板部ｂ１の前端から下方へ屈曲した前板部ｃ１と、前板部ｃ１の下端から後方へ屈曲した連結部ｅ１と、連結部ｅ１の後端から後方へ延びた防鼠板部ｆ１とが連結して形成されている。すなわち、土台水切りＡ１では、防鼠部は、連結部ｅ１と防鼠板部ｆ１とからなる。なお、背板部ａ１は、平坦な板部であり、背板部ａ１の下方端部からは水切り板部ｂ１が、前方斜め下方へ延びている。そして、前板部ｃ１においては、連結部ｅ１と連続していない下端に切り欠きｄ１を有する。なお、切り欠きｄ１は、前板部ｃ１の下端から上方に向かって垂直に切り欠いた後、前板部ｃ１の側面に向かって直線状に切り欠くことにより形成されている。連結部ｅ１は、前板部ｃ１と防鼠板部ｆ１を連結しているが、前板部ｃ１と防鼠板部ｆ１との間には、前板部ｃ１の板厚以上の空間が形成されている。また、切り欠きｄ１の後方には、連結部ｅ１と防鼠板部ｆ１は形成されておらず、防鼠板部ｆ１は、複数の通気孔ｇ１を有し、前板部ｃ１の下端よりも上方となるように設けてある。そのため、土台水切りＡ１は、連結部ｅ１と防鼠板部ｆ１を切断することなく、切り欠きｄ１が隣接する別の土台水切りＡ１の前板部ｃ１の後方に位置し、防鼠板部ｆ１の側端が隣接する別の土台水切りＡ１の防鼠板部ｆ１の側端と当接することができる。また、そのような状態で、互いの背板部ａ１の裏面が建築物の構造躯体に当接するよう固定することができる。また、防鼠板部ｆ１は、前板部ｃ１の下端よりも上方となるように設けてあるので、流下してきた雨水を前方に確実に排出することができる。
【００１４】
図３、４は、図１、２に示す土台水切りを用いて形成された建築物の土台部の施工状態の斜視図と下から見た図である。
図３、４では、土台水切りＡ１、Ａ１’が土台部に固定されている。なお、土台水切りＡ１、Ａ１’は、いずれも図１、２に示した土台水切りであり、同じ構造である。また、図３、４において、土台水切りＡ１の背板部ａ１、水切り板部ｂ１、前板部ｃ１、切り欠きｄ１についてのみ、別の土台水切りＡ１’と連結して見えない箇所を点線で表示している。
図３、４において、土台水切りＡ１は、切り欠きｄ１が隣接する別の土台水切りＡ１’の前板部ｃ１’の後方に位置し、連結部ｅ１の側端が隣接する別の土台水切りＡ１’の連結部ｅ１’の側端と当接し、防鼠板部ｆ１の側端が隣接する別の土台水切りＡ１’の防鼠板部ｆ１’の側端と当接し、互いの背板部ａ１、ａ１’の裏面が土台Ｂに当接した状態で、背板部ａ１、ａ１’に釘Ｅが打ち込まれて固定されている。すなわち、切り欠きｄ１は、別の土台水切りＡ１’の前板部ｃ１’と連結部ｅ１’との間に差し込まれ、土台水切りＡ１の防鼠部と別の土台水切りＡ１’の防鼠部とが当接した状態で固定されている。そのため、この施工構造では、複数の土台水切りを、連結部ｅ１と防鼠板部ｆ１を切断することなく連結することができるので、施工が行いやすく、作業性が良い。
なお、土台水切りＡ１、Ａ１’の背板部ａ１、ａ１’の表面には、図示していないが、外壁板が施工される。
【００１５】
図５は、本発明にかかる土台水切りの他の実施例の斜視図である。
図５に示す土台水切りＡ２も、図１に示す土台水切りＡ１と同じように、１枚のガルバリウム鋼板（登録商標）を折曲加工して製造されており、背板部ａ２と、水切り板部ｂ２と、前板部ｃ２と、連結部ｅ２と、防鼠板部ｆ２とが連結して形成されており、前板部ｃ２の連結部ｅ２と連結していない下端には、切り欠きｄ２が形成されている。しかし、土台水切りＡ２は、切り欠きの形状のみが土台水切りＡ１と異なる。他は土台水切りＡ１と同じである。土台水切りＡ２の切り欠きｄ２は、前板部ｃ２の下端から上方に向かって垂直に切り欠いた後、前板部ｃ２の側面に向かって曲線状に切り欠くことにより形成されている。
しかし、土台水切りＡ２も図１に示す土台水切りＡ１と同じように施工することができるので、施工が行いやすく、作業性が良い。
【００１６】
図６は、本発明にかかる土台水切りの更に他の実施例の斜視図である。
図６に示す土台水切りＡ３も、図１に示す土台水切りＡ１と同じように、１枚のガルバリウム鋼板（登録商標）を折曲加工して製造されており、背板部ａ３と、水切り板部ｂ３と、前板部ｃ３と、連結部ｅ３と、防鼠板部ｆ３とが連結して形成されており、前板部ｃ３の連結部ｅ３と連結していない下端には、切り欠きｄ３が形成されている。しかし、土台水切りＡ３は、切り欠きの形状のみが土台水切りＡ１と異なり、他は同じである。土台水切りＡ３の切り欠きｄ３は、前板部ｃ３の下端から上方に向かって垂直に切り欠いた後、前板部ｃ３の側面に向かって多角状に切り欠くことにより形成されている。
しかし、土台水切りＡ３も図１に示す土台水切りＡ１と同じように施工することができるので、施工が行いやすく、作業性が良い。
【００１７】
図７、８は、本発明にかかる土台水切りの更に他の実施例の斜視図及び底面図である。
図７、８に示す土台水切りＡ４も、図１に示す土台水切りＡ１と同じように、１枚のガルバリウム鋼板（登録商標）を折曲加工して製造されており、背板部ａ４と、水切り板部ｂ４と、前板部ｃ４と、連結部ｅ４と、防鼠板部ｆ４とが連結して形成されており、前板部ｃ４には、切り欠きｄ４が形成されている。しかし、土台水切りＡ４は、防鼠板部ｆ４の形状のみが土台水切りＡ１と異なる。他は土台水切りＡ１と同じである。土台水切りＡ４の防鼠板部ｆ４は、連結部ｅ４の後端から後方へ延びているが、防鼠板部ｆ４の後方は、切り欠きｄ４の後方にも配されるよう延びている。そのため、土台水切りＡ４では、切り欠きｄ４の後方にも防鼠板部ｆ４の一部が存在する。なお、防鼠板部ｆ４は、前板部ｃ４の下端よりも上方となり、水切り板部ｂ４の下位置よりも左右にはみださないように設けてある。
【００１８】
図９は、図７、８に示す土台水切りを用いて形成された建築物の土台部の施工状態を下から見た図である。
図９では、土台水切りＡ４、Ａ４’が土台部に固定されている。なお、土台水切りＡ４、Ａ４’は、いずれも図７、８に示した土台水切りであり、同じ構造である。また、図９において、土台水切りＡ４の水切り板部ｂ４、切り欠きｄ４についてのみ、別の土台水切りＡ４’と連結して見えない箇所を点線で表示している。
図９において、土台水切りＡ４は、切り欠きｄ４が隣接する別の土台水切りＡ４’の前板部ｃ４’の後方に位置し、連結部ｅ４の側端が隣接する別の土台水切りＡ４’の連結部ｅ４’の側端と当接し、防鼠板部ｆ４の側端が隣接する別の土台水切りＡ４’の防鼠板部ｆ４’の側端と当接し、互いの背板部ａ４、ａ４’の裏面が土台Ｂに当接した状態で、釘により固定されている。すなわち、切り欠きｄ４は、別の土台水切りＡ４’の前板部ｃ４’と連結部ｅ４’との間に差し込まれた状態で固定されている。そのため、この施工構造でも、複数の土台水切りを、連結部ｅ４と防鼠板部ｆ４を切断することなく連結することができるので、施工が行いやすく、作業性が良い。
【００１９】
図１０、１１は、本発明にかかる土台水切りの更に他の実施例の斜視図及び底面図である。
図１０、１１に示す土台水切りＡ５も、図１に示す土台水切りＡ１と同じように、１枚のガルバリウム鋼板（登録商標）を折曲加工して製造されており、背板部ａ５と、水切り板部ｂ５と、前板部ｃ５とが連結して形成されており、前板部ｃ５には、切り欠きｄ５が形成されている。しかし、土台水切りＡ５は、防鼠部の形状が土台水切りＡ１と異なる。土台水切りＡ５の防鼠部は、防鼠板部ｆ５のみからなる。防鼠板部ｆ５は、複数の通気孔ｇ５を有し、前板部ｃ５の下端から後方へ屈曲しており、前板部ｃ５の下端よりも上方となるように設けてある。
【００２０】
図１２、１３は、図１０、１１に示す土台水切りを用いて形成された建築物の土台部の施工状態の斜視図と下から見た図である。
図１２、１３では、土台水切りＡ５、Ａ５’が土台部に固定されている。なお、土台水切りＡ５、Ａ５’は、いずれも図１０、１１に示した土台水切りであり、同じ構造である。また、図１２、１３において、土台水切りＡ５の背板部ａ５、水切り板部ｂ５、前板部ｃ５、切り欠きｄ５についてのみ、別の土台水切りＡ５’と連結して見えない箇所を点線で表示している。
図１２、１３において、土台水切りＡ５は、切り欠きｄ５が隣接する別の土台水切りＡ５’の前板部ｃ５’の後方に位置し、防鼠板部ｆ５の側端が隣接する別の土台水切りＡ５’の防鼠板部ｆ５’の側端と当接し、互いの背板部ａ５、ａ５’の裏面が土台Ｂに当接した状態で、背板部ａ５、ａ５’に釘Ｅが打ち込まれて固定されている。そのため、この施工構造でも、複数の土台水切りを、防鼠板部ｆ５を切断することなく連結することができるので、施工が行いやすく、作業性が良い。
【００２１】
以上に本発明の実施形態について説明したが、本発明はこれに限定されず、特許請求の範囲に記載の発明の範囲において種々の変形態を取り得る。
【産業上の利用可能性】
【００２２】
以上説明したように、本発明によれば、切断を行うことなく、互いに連結させることが可能な、防鼠機能を備えた土台水切り及びそれを用いた土台部施工構造を提供することができる。
【符号の説明】
【００２３】
Ａ１〜Ａ５’    土台水切り
Ｂ              土台
Ｃ              パッキン
Ｄ              基礎
Ｅ              釘
ａ１〜ａ５’    背板部
ｂ１〜ｂ５’    水切り板部
ｃ１〜ｃ５’    前板部
ｄ１〜ｄ５      切り欠き
ｅ１〜ｅ４’    連結部
ｆ１〜ｆ５’    防鼠板部
ｇ１〜ｇ５      通気孔
【図１】
0005698506.tif 000002
【図２】
0005698506.tif 000003
【図３】
0005698506.tif 000004
【図４】
0005698506.tif 000005
【図５】
0005698506.tif 000006
【図６】
0005698506.tif 000007
【図７】
0005698506.tif 000008
【図８】
0005698506.tif 000009
【図９】
0005698506.tif 000010
【図１０】
0005698506.tif 000011
【図１１】
0005698506.tif 000012
【図１２】
0005698506.tif 000013
【図１３】
0005698506.tif 000014